(57)【要約】【課題】本発明はクラムシェルタイプのサーマルプリンタに関し、プラテンローラをフレームにロックする機構の簡素化を図ることを課題とする。【解決手段】プラテンローラ６０を受けるプラテンローラ受け部５１ｅを有するフレーム５１と、サーマルヘッド５４が固定してあり、フレームに組み込んであるサーマルヘッド支持部材５５を有する。サーマルヘッド支持部材５５は、両側に腕部７０を有し、この腕部の先端に、プラテンローラの端の軸部６０ａを係止するプラテンローラロック部７２と、プラテンローラを押し出すプラテンローラ押し出し部７３とを有する。また、サーマルヘッド支持部材５５は、操作される腕部８０を有する。【選択図】        図３
2004195805.tif 000002
【特許請求の範囲】
【請求項１】
サーマルヘッドと、
プラテンローラと、
該プラテンローラを受けるプラテンローラ受け部を有するフレームと、
サーマルヘッドが固定してあり、上記フレームに組み込んであるサーマルヘッド支持部材とを有し、
上記プラテンローラが上記フレームに対して着脱可能である構成であるサーマルプリンタにおいて、
上記サーマルヘッド支持部材は、その一部に、上記プラテンローラ受け部に入った上記プラテンローラを、上記プラテンローラ受け部から抜け出さないように係止するプラテンローラロック部を有する構成としたことを特徴とするサーマルプリンタ。
【請求項２】
請求項１に記載のサーマルプリンタにおいて、
上記サーマルヘッド支持部材は、その一部に、上記サーマルヘッドがプラテンローラから離れる方向に移動されたときに、上記プラテンローラをプラテンローラ受け部より出る方向に移動させるプラテンローラ押し上げ部を有する構成としたことを特徴とするサーマルプリンタ。
【請求項３】
請求項１又請求項２に記載のサーマルプリンタにおいて、
上記サーマルヘッド支持部材は、その一部に、サーマルヘッドがプラテンローラから離れる方向に変位させる操作部を有する構成としたことを特徴とするサーマルプリンタ。
【請求項４】
請求項１又請求項２に記載のサーマルプリンタにおいて、
上記サーマルヘッド支持部材は、その一部に、サーマルヘッドがプラテンローラを押すヘッド圧を付勢するヘッド圧付勢ばね部を切り起こして形成してある構成としたことを特徴とするサーマルプリンタ。
【請求項５】
請求項１又請求項２に記載のサーマルプリンタにおいて、
サーマルヘッド支持部材を押してサーマルヘッドがプラテンローラを押すヘッド圧を付勢するヘッド圧付勢ばね部材の一部に、上記プラテンローラ受け部に入ったプラテンローラによって押されて撓まされ、上記プラテンローラに対するロックが解除されたときに復元して該プラテンローラをプラテンローラ受け部から出る方向に移動させるばね部を有する構成としたことを特徴とするサーマルプリンタ。
【請求項６】
請求項１乃至請求項５のうち何れか一項記載のサーマルプリンタを備えてなり、
上記プラテンローラが回動して開閉するカバーに支持してあり、該カバーが閉じられたときに上記プラテンローラが上記プラテンローラ受け部に入るようにした構成としたことを特徴とする機器。
【発明の詳細な説明】
【０００１】
【発明の属する技術分野】
本発明はサーマルプリンタ及びサーマルプリンタ装置に係り、特にプラテンローラがフレームに対して着脱可能である構成であるサーマルプリンタに関する。
【０００２】
携帯端末機器及びＰＯＳ機器に搭載されるサーマルプリンタは、用紙ロールのセットが容易であるクラムシェルタイプが主流になりつつある。クラムシェルタイプでは、蓋が回動されて閉じられるときに、プラテンローラは、用紙を挟んでサーマルヘッドに押し当たり、フレームに嵌合されて装着される。よって、装着されたプラテンローラが容易には離脱しないようにするロック機構を設ける必要がある。
【０００３】
【従来の技術】
図１は従来のクラムシェルタイプのサーマルプリンタ１０を示す。１１はフレーム、１２はプラテンローラ、１３はサーマルヘッド、１４は用紙ロール、１５は用紙、１６はロックアーム、１７はカム、１８は操作レバー、１９はばねである。
【０００４】
プラテンローラ１２は上方から下方に移動して用紙１５を挟んでサーマルヘッド１３に押し当たった状態とされる。このときに、プラテンローラ１２の端の軸１２ａはフレーム１１のＵ字形状の溝１１ａに嵌合し、ロックアーム１６によってロックされる。
【０００５】
新しい用紙ロール１４をセットするに際しては、操作者が操作レバー１８を操作してカム１７を回動させ、ロックアーム１６を時計方向に少し回動させる。これによって、軸１２ａに対するロックが解除される。
【０００６】
【特許文献１】
特開２０００−３１８２６０号公報（段落番号００１５、図２）
【０００７】
【発明が解決しようとする課題】
図１のサーマルプリンタ１０は、プラテンローラ１２のロック及びロック解除のために、専用の三つの部品、即ち、ロックアーム１６、カム１７、操作レバー１８を追加して備えた構成であるため、部品の増加によってサーマルプリンタの製造コストが上昇し、組立て工数も増え、サーマルプリンタのサイズが大きくなり、重さも増えてしまうという問題があった。
【０００８】
そこで、本発明は、上記課題を解決したサーマルプリンタを提供することを目的とする。
【０００９】
【課題を解決するための手段】
請求項１の発明は、サーマルヘッドと、
プラテンローラと、
該プラテンローラを受けるプラテンローラ受け部を有するフレームと、
サーマルヘッドが固定してあり、上記フレームに組み込んであるサーマルヘッド支持部材とを有し、
上記プラテンローラが上記フレームに対して着脱可能である構成であるサーマルプリンタにおいて、
上記サーマルヘッド支持部材は、その一部に、上記プラテンローラ受け部に入った上記プラテンローラを、上記プラテンローラ受け部から抜け出さないように係止するプラテンローラロック部を有する構成としたものである。
【００１０】
プラテンローラをロックする専用の部品が必要でなくなり、サーマルプリンタの小型化に有利であり、且つ、組立て工数が少なくなって、製造コストを低く出来る。
【００１１】
請求項２の発明は、請求項１に記載のサーマルプリンタにおいて、上記サーマルヘッド支持部材は、その一部に、上記サーマルヘッドがプラテンローラから離れる方向に移動されたときに、上記プラテンローラをプラテンローラ受け部より出る方向に移動させるプラテンローラ押し上げ部を有する構成としたものである。
【００１２】
プラテンローラをプラテンローラ受け部より出る方向に押し上げる専用の部品が必要でなくなり、サーマルプリンタの小型化に有利であり、且つ、組立て工数が少なくなって、製造コストを低く出来る。
【００１３】
請求項３の発明は、請求項１又請求項２に記載のサーマルプリンタにおいて、上記サーマルヘッド支持部材は、その一部に、サーマルヘッドがプラテンローラから離れる方向に変位させる操作部を有する構成としたものである。
【００１４】
サーマルヘッド支持部材を変位させるように操作する部分の構成を簡単に出来る。
【００１５】
請求項４の発明は、請求項１又請求項２に記載のサーマルプリンタにおいて、上記サーマルヘッド支持部材は、その一部に、サーマルヘッドがプラテンローラを押すヘッド圧を付勢するヘッド圧付勢ばね部を切り起こして形成してある構成としたものである。
【００１６】
ヘッド圧付勢ばね部材が不要となり、サーマルプリンタの小型化に有利であり、且つ、組立て工数が少なくなって、製造コストを低く出来る。
【００１７】
請求項５の発明は、請求項１又請求項２に記載のサーマルプリンタにおいて、サーマルヘッド支持部材を押してサーマルヘッドがプラテンローラを押すヘッド圧を付勢するヘッド圧付勢ばね部材の一部に、上記プラテンローラ受け部に入ったプラテンローラによって押されて撓まされ、上記プラテンローラに対するロックが解除されたときに復元して該プラテンローラをプラテンローラ受け部から出る方向に移動させるばね部を有する構成としたものである。
【００１８】
プラテンローラに対するロックが解除されたときにプラテンローラがポップアップする構成のサーマルプリンタを、少ない部品点数で実現することが出来る。
【００１９】
請求項６の発明は、請求項１乃至請求項５のうち何れか一項記載のサーマルプリンタを備えてなり、上記プラテンローラが回動して開閉するカバーに支持してあり、該カバーが閉じられたときに上記プラテンローラが上記プラテンローラ受け部に入るようにした構成としたものである。
【００２０】
サーマルプリンタが小型化された分、機器も小型化される。
【００２１】
【発明の実施の形態】
図２は本発明の一実施例になる携帯端末機器３０を示す。Ｘ１−Ｘ２は幅方向、Ｙ１−Ｙ２は長手方向、Ｚ１−Ｚ２は高さ方向である。携帯端末機器３０はＹ１側にクラムシェルタイプのラインサーマルプリンタ４０を備えた構成であり、上面に、液晶表示部３１、キースイッチ３２、操作ノブ３３を有する。
【００２２】
クラムシェルタイプサーマルプリンタ４０は、図３（Ａ）に示すように、ケース４２と、一端を軸４３によってケース４２に支持されている開閉可能であるカバー４４と、ケース４２に固定してある図５に示すサーマルプリンタユニット５０とよりなる構成である。ケース４２には用紙ロールを収容する用紙ロール収容部４１が形成してある。カバー４４はこの用紙ロール収容部４１を覆う。カバー４４の先端に、プラテンローラ６０が支持されている。
【００２３】
サーマルプリンタユニット５０は、図５に示すように、フレーム５１にモータ５２及びギヤボックス５３が固定され、且つ、フレーム５１に、図６（Ａ），（Ｂ）に示すサーマルヘッド５４が固定してあるサーマルヘッド支持部材５５と、板ばねであるヘッド圧付勢ばね部材５６とが組み込んであり、且つ、サーマルヘッド５４からフレキシブルプリントケーブル５７が引き出されており、且つ、フレーム５１にプラテンローラ６０が離脱可能に装着されている構成である。サーマルヘッド支持部材５５はサーマルヘッド５４を支持する役割と、サーマルヘッド５４に発生する熱を拡散するヒートシンクとしての役割を有する。なお、サーマルプリンタユニット５０も本発明のサーマルプリンタに含まれるものである。
【００２４】
サーマルヘッド支持部材５５は、下側部を、図３（Ａ）に示すように、ピボット５１ａ、５１ｂによって挟まれて支持され、上側の両端のピン部５５ａ，５５ｂを、長孔５１ｃ、５１ｄに嵌合されている。ヘッド圧付勢ばね部材５６は、Ｖ字形状をなし、サーマルヘッド支持部材５５とフレーム５１との間に組み込んであり、サーマルヘッド５４をプラテンローラ６０に押し付ける。
【００２５】
プラテンローラ６０は、両端に軸部６０ａ，６０ｂを有し、一端にギヤ６０ｃを有する。プラテンローラ６０は、軸部６０ａ，６０ｂをフレーム５１のＵ字溝形状のプラテンローラ受け部５１ｅ、５１ｆに嵌合されてフレーム５１に支持され、ギヤ６０ｃがギヤボックス５３の出力ギヤ（図示せず）に噛み合っている。
【００２６】
本発明はサーマルヘッド支持部材５５がピボット５１ａ、５１ｂによって挟まれている個所を中心に長孔５１ｃ、５１ｄ内で所定の角度範囲内で回動できることに着目してなされたものである。サーマルヘッド支持部材５５は、金属板をプレス加工したものであり、両端にＹ１方向に延在する腕部７０，７５を有し、且つ、中央部にＹ１方向に延在する操作部としての腕部８０を有する。図３（Ａ）に示すように、腕部８０の先端の立ち上げ部８１に、操作ノブ３３が嵌合してある。腕部７０，７５の先端は二又形状部７１，７６となっており、上側のプラテンローラロック部７２，７７と、下側のプラテンローラ押し上げ部７３，７８とよりなる。ロック部７２，７７及び押し上げ部７３，７８は、プラテンローラ受け部５１ｅ、５１ｆの部分に位置する。
【００２７】
図７は、ロック部７２及び押し上げ部７３の形状を、軸部６０ａ及びプラテンローラ受け部５１ｅと併せて、拡大して示す。
【００２８】
プラテンローラ受け部５１ｅは点Ｏ１を中心とする円弧状の底部５１ｅ１を有する。９０はプラテンローラ受け部５１ｅの中心線であり、点Ｏ１を通ってＺ１−Ｚ２方向に延在している。９２は点Ｏ１を通って中心線９０と直交する線であり、Ｙ１−Ｙ２方向に延在している。図７中、二点鎖線は、プラテンローラ６０が装着されたと仮定した場合の、軸部６０ａを示す。
【００２９】
ロック部７２は、軸部６０ａの上側の高さの位置で、Ｙ１方向にプラテンローラ受け部５１ｅ内に突き出ている。ロック部７２の先端７２ａは、中心線９０よりＹ１方向にΔＹ偏倚しており、その接線７２ｂは、Ｙ１方向に移動するにつれてＺ２方向に偏倚する右下りであり、線９１と角度θで交差している。ロック部７２の上面は傾斜面７２ｃである。
【００３０】
押し上げ部７３は、プラテンローラ受け部５１ｅの下側をＹ１方向に延在して、斜め上向きに円弧状に延びている。押し上げ部７３の先端７３ａは、プラテンローラ受け部５１ｅよりＹ１側に位置しており、且つ、プラテンローラ受け部５１ｅの底部５１ｅ１よりＺ１方向にΔＺ偏倚している。押し上げ部７３とプラテンローラ受け部５１ｅとの間には、Ｙ１−Ｙ２方向上間隔１００が存在している。この間隔１００が存在することによって、後述するロック解除と押し上げとが所望のタイミングで行われる。
【００３１】
次に、クラムシェルタイプサーマルプリンタ４０のカバー４４の開閉操作及び動作、及びこのときの二又形状部７１，７６の動作について説明する。
【００３２】
用紙ロール１１０を収容部４１内にセットし、用紙１１１を引き出した状態で、カバー４４を閉じるように回動する。カバー４４は、図３（Ａ）に示す状態から回動され、第１段階として、図３（Ｂ）に示すように、プラテンローラ６０の軸部６０ａがＺ１側からプラテンローラ受け部５１ｅ内に入り込んでロック部７１の上面に当って支持されて略閉じた状態となる。この状態で、操作者は手でカバー４４を押し付ける。この操作によって、カバー４４は、最終段階として、図４（Ａ）に示す最終位置まで回動されて完全に閉じた状態とされ、その位置でロック部７１によってロックされる。このとき、ヘッド圧付勢ばね部材５６によって、サーマルヘッド５４とプラテンローラ６０とが用紙１１１を挟んで押し付け合う状態となる。なお、カバー４４の最終回動の段階で、ヘッド圧付勢ばね部材５６が図４（Ｂ）に示すと同様に一時的に弾性変形され、サーマルヘッド支持部材５５が反時計方向に回動される。
【００３３】
図８（Ａ）乃至（Ｄ）は、このときの二又形状部７１の動作を拡大して示す。図８（Ａ）に示すように、プラテンローラ６０の軸部６０ａがＺ１側からＵ字状溝部５１ｅ内に入り込み、図８（Ｂ）に示すようにロック部７２の傾斜面７２ｃに当ってロック部７２をＹ２方向に変位させ、図８（Ｃ）に示すようにプラテンローラ受け部５１ｅから後退させ、軸部６０ａはロック部７２を通過して図８（Ｄ）に示すように底部５１ｅ１に到る。
【００３４】
軸部６０ａがロック部７２を通過すると、二又形状部７１はヘッド圧付勢ばね部材５６のばね力によってＹ１方向への変位し、図８（Ｄ）に示すようにロック部７２が軸部６０ａの上側に迫り出して、軸部６０ａを係止して、軸部６０ａがＺ１方向に変位することを制限し、軸部６０ａをＵ字状溝部５１ｅの底部５１ｅ１の部位にロックする。反対側の二又形状部７６も軸部６０ｂを同様にロックする。
【００３５】
ここで、ロック部７２の先端７２ａは、軸部６０ａのうち、頂点ＰよりＹ１方向に偏倚した位置Ｑ１を係止している。このため、落下衝撃等によって、軸部６０ａにプラテンローラ受け部５１ｅから抜け出すＺ１方向の力が発生した場合にも、ロック部７２にはＹ２方向の分力は発生せず、ロック部７２は軸部６０ａを所謂完全ロックしている。
【００３６】
これによって、プラテンローラ６０は両側の軸部６０ａ、６０ｂをロック部７２、７７によって係止されてロックされ、例えば携帯端末機器３０を誤って落としたりした場合でも、カバー４４が開いてしまう状態とはならない。
【００３７】
なお、ロック部７２が軸部６０ａによって一時的に押し退けられる動作によって、サーマルヘッド５４はプラテンローラ６０から一旦離れてその後にプラテンローラ６０に当る動作を行うけれども、プラテンローラ６０はゴム製であるため衝撃は小さく問題はない。
【００３８】
用紙ロール１１０が使用尽くされ、新しい用紙ロール１１０をセットする場合には、操作者は図４（Ａ）に示す状態において操作ノブ３３をＹ２方向に引く操作を行う。この操作によって、図４（Ｂ）に示すように、サーマルヘッド支持部材５５が反時計方向に、即ち、垂直となる方向に回動され、軸部６０ａのロックが解除されて、カバー４４が開く状態とされ、且つ、軸部６０ａが押し上げ部７３によって押し上げられ、カバー４４が少し浮き上げられる。この状態で、操作者は手でもってカバー４４を開く。
【００３９】
図９（Ａ）乃至（Ｄ）は、このときの二又形状部７１の動作を拡大して示す。二又形状部７１は図９（Ａ）に示す状態から略Ｙ１方向に移動する。図９（Ｂ）及び図９（Ｃ）に示すように、一方では、ロック部７２がＵ字状溝部５１ｅからＹ１方向に抜け出るように変位して軸部６０ａに対するロックが徐々に解除され、他方では、押し上げ部７２がＹ１方向に変位してＵ字状溝部５１ｅ内に入り込んで軸部６０ａのうち下側の部分に当ってこれを押し上げる。最終的には、図９（Ｄ）に示すように、ロック部７２がＵ字状溝部５１ｅから抜け出して軸部６０ａに対するロックが解除され、且つ、押し上げ部７３の先端７３ａが軸部６０ａを寸法ΔＺ押し上げる。
【００４０】
上記のように、ロック部７２，７７及び押し上げ部７３，７８はサーマルヘッド支持部材５５の一部に形成してあるため、プラテンローラ６０のロックを専用の部材は使用されていず、よって、サーマルプリンタ４０は従来に比べて、小型、且つ軽量に、且つ、部品点数を増やさないで、よって、少ない組立て工数で且つ低い製造コストで製造することが可能である。
【００４１】
なお、上記のサーマルプリンタ４０は携帯端末機器３０に限らず、据え置き型の機器にも適用が可能である。
【００４２】
次に、サーマルヘッド支持部材５５の変形例について説明する。
【００４３】
図１０は第１の変形例になるサーマルヘッド支持部材５５Ａを示す。
【００４４】
サーマルヘッド支持部材５５Ａは、図６及び図７に示すサーマルヘッド支持部材５５とは、ロック部７２Ａが相違する。ロック部７２Ａは前記のロック部７２よりも短く、その先端７２Ａａは、図１０（Ｂ）に示すように、軸部６０ａのうち、頂点ＰよりＹ２方向に偏倚した位置Ｑ２を係止する。即ち、ロック部７２Ａは、プラテンローラ６０にＺ１方向の力を作用させるとロック部７２ＡにはＹ２方向の分力が発生する状態で軸部６０ａを係止している。
【００４５】
プラテンローラ６０にＺ１方向に強い力を作用させると、プラテンローラ６０はロック部７２ＡをＹ２方向に押し退けて、プラテンローラ受け部５１ｅから離脱される。即ち、プラテンローラ６０は簡易ロックされている。
【００４６】
図１１は第２の変形例になるサーマルヘッド支持部材５５Ｂを示す。
【００４７】
サーマルヘッド支持部材５５Ｂは、図６及び図７に示すサーマルヘッド支持部材５５とは、押し上げ部７３を有しない点で相違する。サーマルヘッド支持部材５５Ｂはロック部７２を有する。ロック部７２は図１１（Ｂ）に示すように軸部６０ａを係止する。
【００４８】
図１２は第３の変形例になるサーマルヘッド支持部材５５Ｃを示す。
【００４９】
サーマルヘッド支持部材５５Ｃは、図１１に示すサーマルヘッド支持部材５５Ｂの背面にヘッド圧付勢コイルばね１２０．１２１が固定してある構成である。ヘッド圧付勢コイルばね１２０、１２１は、一端からＹ１方向に延びているワイヤ状のばね部１２０ａ、１２１ａを有する。ワイヤ状ばね部１２０ａ、１２１ａは軸部６０ａ、６０ｂをホップアップさせる機能を有する。
【００５０】
サーマルヘッド支持部材５５Ｃは、図１３（Ａ）に示すようにサーマルプリンタユニット５０Ａに組み込んである。ワイヤ状ばね部１２０ａ、１２１ａはプラテンローラ受け部５１ｅを横切っている。
【００５１】
図１３（Ｂ）に示すようにプラテンローラ６０がロックされて装着された状態では、ワイヤ状ばね部１２０ａはＺ２方向に弾性変形されている。図１３（Ｃ）に示すようにロックが解除されると、プラテンローラ６０はワイヤ状ばね部１２０ａのばね力によってホップアップされる。
【００５２】
図１４は第４の変形例になるサーマルヘッド支持部材５５Ｄを示す。
【００５３】
サーマルヘッド支持部材５５Ｄは、ロック部７２、押し上げ部７３及び腕部８０の他に、その背面側に切り起こして形成された一対の板ばね部１３０，１３１が形成してある。板ばね部１３０，１３１がヘッド圧を付勢し、よって、図３（Ａ）中のヘッド圧付勢ばね部材５６は不要である。よって、サーマルプリンタは部品点数が更に削減される。
【００５４】
なお、板ばね部１３０，１３１を形成するため、サーマルヘッド支持部材５５Ｄの素材は通常より薄く、且つ、板ばね部１３０，１３１が形成されることよって、サーマルヘッド５４が接触する面積が狭くなって、サーマルヘッド支持部材５５Ｄのヒートシンクとしての機能が少し低下する。ヒートシンクとしての機能が低下しても、連続使用がなされないサーマルプリンタでは問題はない。
【００５５】
【発明の効果】
以上説明したように、請求項１に係る発明は、プラテンローラがフレームに対して着脱可能である構成であるサーマルプリンタにおいて、サーマルヘッド支持部材は、その一部に、プラテンローラ受け部に入った上記プラテンローラを、プラテンローラ受け部から抜け出さないように係止するプラテンローラロック部を有する構成としたものであるため、プラテンローラをロックする専用の部品が必要でなくなり、サーマルプリンタの小型化に有利であり、且つ、組立て工数が少なくなって、製造コストを低く出来る。
【００５６】
請求項２に係る発明は、請求項１に記載のサーマルプリンタにおいて、サーマルヘッド支持部材は、その一部に、サーマルヘッドがプラテンローラから離れる方向に移動されたときに、プラテンローラをプラテンローラ受け部より出る方向に移動させるプラテンローラ押し上げ部を有する構成としたため、プラテンローラをプラテンローラ受け部より出る方向に押し上げる専用の部品が必要でなくなり、サーマルプリンタの小型化に有利であり、且つ、組立て工数が少なくなって、製造コストを低く出来る。
【００５７】
請求項３の発明は、請求項１又請求項２に記載のサーマルプリンタにおいて、上記サーマルヘッド支持部材は、その一部に、サーマルヘッドがプラテンローラから離れる方向に変位させる操作部を有する構成としたため、サーマルヘッド支持部材を変位させるように操作する部分の構成を簡単に出来る。
【００５８】
請求項４の発明は、請求項１又請求項２に記載のサーマルプリンタにおいて、サーマルヘッド支持部材は、その一部に、サーマルヘッドがプラテンローラを押すヘッド圧を付勢するヘッド圧付勢ばね部を切り起こして形成してある構成としたため、ヘッド圧付勢ばね部材が不要となり、サーマルプリンタの小型化に有利であり、且つ、組立て工数が少なくなって、製造コストを低く出来る。
【００５９】
請求項５の発明は、請求項１又請求項２に記載のサーマルプリンタにおいて、サーマルヘッド支持部材を押してサーマルヘッドがプラテンローラを押すヘッド圧を付勢するヘッド圧付勢ばね部材の一部に、上記プラテンローラ受け部に入ったプラテンローラによって押されて撓まされ、上記プラテンローラに対するロックが解除されたときに復元して該プラテンローラをプラテンローラ受け部から出る方向に移動させるばね部を有する構成としたため、プラテンローラに対するロックが解除されたときにプラテンローラがポップアップする構成のサーマルプリンタを少ない部品点数で実現することが出来る。
【００６０】
請求項６の発明は、請求項１乃至請求項５のうち何れか一項記載のサーマルプリンタを備えてなり、上記プラテンローラが回動して開閉するカバーに支持してあり、該カバーが閉じられたときに上記プラテンローラが上記プラテンローラ受け部に入るようにした構成としたため、サーマルプリンタが小型化された分、小型の機器を実現出来る。
【図面の簡単な説明】
【図１】従来のサーマルプリンタを示す図である。
【図２】本発明の一実施例になる携帯端末機器を示す図である。
【図３】クラムシェルタイプサーマルプリンタのカバーを閉じるときの動作を示す図である。
【図４】クラムシェルタイプサーマルプリンタのカバーを開くときの動作を示す図である。
【図５】サーマルプリンタユニットを示す図である。
【図６】サーマルヘッド支持部材を示す図である。
【図７】ロック部及び押し上げ部の形状を拡大して示す図である。
【図８】カバーを閉じるときにプラテンローラがロックされる動作を示す図である。
【図９】プラテンローラがロックを解除されて押し上げられる動作を示す図である。
【図１０】サーマルヘッド支持部材の第１の変形例を示す図である。
【図１１】サーマルヘッド支持部材の第２の変形例を示す図である。
【図１２】サーマルヘッド支持部材の第３の変形例を示す図である。
【図１３】図１２のサーマルヘッド支持部材が組み込んであるサーマルプリンタユニットを示す図である。
【図１４】サーマルヘッド支持部材の第４の変形例を示す図である。
【符号の説明】
３０  携帯端末機器
３１  液晶表示部
３２  キースイッチ
３３  操作ノブ
４０  サーマルプリンタ
４１  用紙ロール収容部
４２  ケース
４４  カバー
５０  サーマルプリンタユニット
５１  フレーム
５１ｅ、５１ｆ  プラテンローラ受け部
５４  サーマルヘッド
５５、５５Ａ，５５Ｂ，５５Ｃ，５５Ｄ  サーマルヘッド支持部材
５６  ヘッド圧付勢ばね部材
６０  プラテンローラ
６０ａ，６０ｂ  軸部
７０，７５  腕部
７１，７６  二又形状部
７２，７７  ロック部
７３，７８  押し上げ部
１２０ａ、１２１ａ  ワイヤ状ばね部
１３０，１３１  板ばね部
【図１】
2004195805.tif 000003
【図２】
2004195805.tif 000004
【図３】
2004195805.tif 000005
【図４】
2004195805.tif 000006
【図５】
2004195805.tif 000007
【図６】
2004195805.tif 000008
【図７】
2004195805.tif 000009
【図８】
2004195805.tif 000010
【図９】
2004195805.tif 000011
【図１０】
2004195805.tif 000012
【図１１】
2004195805.tif 000013
【図１２】
2004195805.tif 000014
【図１３】
2004195805.tif 000015
【図１４】
2004195805.tif 000016